(57)【要約】【課題】  構造が簡単で且つ命中率が頗る向上する散弾銃の照準器の提供。【解決手段】  散弾銃の銃筒１１の先端部に固定される照準器であって、その本体１は、銃筒１１の先端部に設けられる照星１３を囲む覗き孔４を開設した上側部分２と、銃筒１１の先端部に固定される下側部分３とから成り、上記上側部分２の覗き孔４は、散弾パターンと合致する孔径を有することにより、標的に対する命中率を向上せんとするものである。【選択図】  図３
2009063235.tif 000002
【特許請求の範囲】
【請求項１】
散弾銃の銃筒先端部に装着される照準器であって、その本体は、銃筒先端部に設けられる照星を囲む覗き孔を開設した上側部分と、銃筒先端部に固定される下側部分とから成り、上記上側部分の覗き孔は、散弾パターンと合致する孔径を有することを特徴とする散弾銃の照準器。
【請求項２】
上側部分と下側部分とは一体に成形されて、下側部分の内部は、散弾銃の銃筒先端部を差し込める相似形状を呈していることを特徴とする請求項１記載の散弾銃の照準器。
【請求項３】
下側部分の側面にネジ孔を形成し、該ネジ孔を利用して、下側部分を銃筒先端部にネジ止めすることを特徴とする請求項２記載の散弾銃の照準器。
【発明の詳細な説明】
【技術分野】
【０００１】
本発明は、主として、クレー射撃競技のトラップ種目やスキート種目に使用されるクレー射撃用散弾銃、或いは、狩猟に使用される猟銃用散弾銃などの照準器に関するものである。
【背景技術】
【０００２】
例えば、クレー射撃競技におけるトラップ種目は、クレー放出機から秒速約２２ｍ〜３０ｍで放出されるクレーを秒速約３１０ｍの弾速をもつ散弾銃で撃つようになっているが、これを的確に撃つには、クレーが放出される場所に目を合わせ、放出されたクレーを瞬時に捕らえて、これを追って射撃する必要があるが、一般的には、クレーが放出される場所に目を合わせる際に、銃筒先端部に設けられている照星のみを頼りに行なっていた。従って、射手の目と照星とクレーとが一直線上に位置して初めて、クレーを命中することが可能となる。
【０００３】
この為、従来にあっては、照星のみを頼りに目の初期位置を決めようとしていたので、自ずと、視野が広くなって、クレーを瞬時に捕らえることが難しく、的確な初期位置を習得するには、長期の訓練が必要となったり、又、指導する際にも、抽象的な指導しかできなかった。
【０００４】
そこで、斯かる実情に鑑み、線材を屈曲して左右方向に細長い長方形状を呈する枠部と、該枠部下辺の左右方向中心から小巾をもって下方に延びる一対の脚部とから成り、該各脚部を銃筒の先端部に設けられた照星を挟んで銃筒側に固定する型式の照準器が提案されている（例えば、特許文献１参照）。
【０００５】
依って、この提案された照準器の使用に際しては、理屈の上では、射手の視野を上記長方形状を呈する枠部で囲まれた覗き孔に絞り込むことが可能となるので、当該枠部をクレー放出機の放出方向に向けながら目を集中させれば、クレー放出機から放出されたクレーを的確に捕らえることができ、これにより、照星のみを頼りとするものと比べると、的中率が向上することとなる。
【特許文献１】特開平７−２１８１９０号公報
【発明の開示】
【発明が解決しようとする課題】
【０００６】
然し乍ら、斯かる照準器は、既述した如く、銃筒の先端部に設けられた照星を銃筒に固定される一対の脚部の間に挟み込んでいる関係で、当然に、覗き孔となる長方形状の枠部は当該照星よりも上方に存在することとなるので、例え、この枠部で射手の視野が絞られるとしても、目と照星とクレーとが一直線上に位置することは決してないので、的中率を向上させることはそれ程期待できなかった。又、枠部は、細長い長方形状を呈しているので、その左右方向の隅でクレーを絞り込んだ場合でも、やはり、目と照星とクレーとが一直線上に位置することはなくなるので、同様に、的中率を向上させることは期待できなかった。
【課題を解決するための手段】
【０００７】
本発明は、斯かる従来の照準器が抱える問題点を有効に解決するために開発されたもので、請求項１記載の発明は、散弾銃の銃筒先端部に装着される照準器であって、その本体は、銃筒先端部に設けられる照星を囲む覗き孔を開設した上側部分と、銃筒先端部に固定される下側部分とから成り、上記上側部分の覗き孔は、散弾パターンと合致する孔径を有することを特徴とする。
【０００８】
請求項２記載の発明は、請求項１を前提として、上側部分と下側部分とは一体に成形されて、下側部分の内部は、散弾銃の銃筒先端部を差し込める相似形状を呈していることを特徴とする。
【０００９】
請求項３記載の発明は、請求項２を前提として、下側部分の側面にネジ孔を形成し、該ネジ孔を利用して、下側部分を銃筒先端部にネジ止めすることを特徴とする。
【発明の効果】
【００１０】
依って、請求項１記載の発明にあっても、今までの照準器と同様に、射手の視野を覗き孔に絞り込んで、該覗き孔をクレー放出機の放出方向に向けながら目を集中させて射撃することとなるが、請求項１記載の発明にあっては、照準器本体の上側部分に、銃筒の先端部に設けられた照星を囲む覗き孔が開設されている関係で、この覗き孔で視野を絞り込むと、必ず、射手の目と照星と標的とが一直線上に位置することとなるので、これにより、今までの照準器と比べると、命中率が頗る向上する。
【００１１】
又、例えば、クレー射撃競技におけるトラップ種目では、１２番２４ｇ公認弾装を使用すると、前方約３５ｍ〜３６ｍの地点で約６０ｃｍの大きさの円（散弾パターン）に散弾が広がるように銃口が設定され、同スキート種目では、１２番２４ｇ公認弾装を使用すると、前方１９ｍ〜２０ｍの地点で約５０ｃｍの大きさの円（散弾パターン）に散弾が広がるように銃口が設定されていて、この地点で、クレーを撃破することが理想とされているので、請求項１記載の発明のように、上側部分の覗き孔を上記の散弾パターンと合致する孔径となせば、更に、命中率が向上する。
【００１２】
請求項２記載の発明にあっては、本体の上側部分と下側部分とが一体に成形されて、下側部分の内部は、散弾銃の銃筒先端部を差し込める相似形状を呈しているので、照準器自体を銃筒先端部にワンタッチで装脱できる。
【００１３】
請求項３記載の発明にあっては、本体の下側部分を銃筒の先端部にネジ止めできるので、照準器を銃筒先端部に確実に固定できる結果、競技中に、照準器自体が移動したり抜け外れる心配が全くない。
【発明を実施するための最良の形態】
【００１４】
本発明は、散弾銃の銃筒先端部に装着される照準器を前提として、その本体は、銃筒先端部に設けられる照星を囲む覗き孔を開設した上側部分と、銃筒先端部に固定される下側部分とから成り、上記上側部分の覗き孔は、散弾パターンと合致する孔径を有することにより、標的に対する命中率を向上せんとするものである。
【実施例】
【００１５】
以下、本発明を図示する好適な実施例に基づいて詳述すれば、該実施例に係る照準器は、特に、クレー射撃競技におけるトラップ種目やスキート種目に使用されるクレー射撃用散弾銃を対象として開発されたもので、図１・図２に示す如く、ジュラルミン製の一体成形品で、その本体１全体が内部中空の瓢箪形状を呈して、上下で連続する上側部分２と下側部分３とから成る。
【００１６】
そして、前者の上側部分２は、その内部に後述する散弾銃の銃筒１１先端部の上面リブ１２に設けられた照星１３を囲む覗き孔４が開設されて、競技時に、射手の視野を絞り込む働きを行なうところである。従って、この上側部分２の内部に画成される覗き孔４をクレー放出機の放出方向に向けながら目を集中させれば、クレー放出機から放出されたクレーを的確に捕らえること可能となる。又、この覗き孔４は、後述する散弾パターンと合致する孔径を有するように設定されている。
【００１７】
即ち、クレー射撃競技のトラップ種目では、１２番２４ｇ公認弾装を使用すると、前方約３５ｍ〜３６ｍの地点で約６０ｃｍの大きさの円（散弾パターン）に散弾が広がるように銃口が設定され、同スキート種目では、１２番２４ｇ公認弾装を使用すると、前方１９ｍ〜２０ｍの地点で約５０ｃｍの大きさの円（散弾パターン）に散弾が広がるように銃口が設定されていて、この地点で、クレーを撃破することが理想とされているので、既述した如く、上側部分２の覗き孔４を上記の散弾パターンと合致する孔径とすれば、特に、命中率が向上することとなる。
【００１８】
これを、更に、多くの実験結果から具体的に説明すると、トラップ種目では、覗き孔４の孔径を２２ｍｍの大きさに設定すると、前方約３５ｍ〜３６ｍの地点で約６０ｃｍの散弾パターンと合致し、スキート種目では、覗き孔４の孔径を１８ｍｍの大きさに設定すると、前方１９ｍ〜２０ｍの地点で約５０ｃｍの散弾パターンと合致することを知見したので、これに基づき、各種目に使用される照準器の覗き孔４の上記の大きさ、即ち、２２ｍｍと１８ｍｍに設定することが最も好ましいが、上級者や中級者や初心者などの相違によって、前後２ｍｍ、大きさをずらすことも実施に応じ任意である。
【００１９】
又、後者の下側部分３は、その内部に上下二連式の銃筒１１先端部を差し込める相似状の達磨孔５が開設されていると共に、その側面にネジ孔６を形成して、該ネジ孔６にネジ７を螺合することにより、下側部分３を銃筒１１先端部に確実に固定できる構成となっている。従って、照準器自体を銃筒１１の先端部に装着する時には、ワンタッチで装着することが可能となると共に、装着後に、ネジ止めすれば、確実に固定されて、不用意に移動したり、銃筒１１の先端部から抜け外れることも有効に防止できる。
【００２０】
尚、この下側部分３の達磨孔５と上側部分２の覗き孔４とを結ぶ巾狭な連結域８は、銃筒１１の先端部に形成された上面リブ１２を収納するところで、該上面リブ１２を連結域８に収納することにより、照星１３が上側部分２の覗き孔４で囲まれることとなる。
【００２１】
依って、斯かる構成の照準器を使用する場合には、図３に示す如く、下側部分３の内部に銃筒１１の先端部を差し込んで、該下側部分３を銃筒１１の先端部にネジ７止めすれば、これにより、その使用が即座に可能となるので、この状態を得て、射手の視野を上側部分２の覗き孔４に絞り込んで、該覗き孔４をクレー放出機の放出方向に向けながら目を集中させて射撃することとなるが、本実施例にあっては、照準器本体１の上側部分２に、銃筒１１の先端部の上面リブ１２に設けられた照星１３を囲む覗き孔４が開設されている関係で、この覗き孔４で射手の視野を絞り込むと、必ず、図４に示す如く、射手の目と照星１３とクレー１４とが一直線上に位置することとなるので、これにより、今までの照準器と比べると、クレー１４を的確に捕らえて、命中率が頗る向上する。
【００２２】
その上、覗き孔４の孔径は、既述した如く、トラップ種目では、散弾パターンと合致する２２ｍｍに設定され、スキート種目では、同じく、散弾パターンと合致する１８ｍｍに設定されているので、理想的な命中範囲で、クレー１４を的確に撃つことが可能となるので、これによっても、命中率が一層向上することとなる。
【００２３】
又、射手の目を覗き孔４内の照星１３に集中させて、放出されたクレー１４を後から追いかけて、覗き孔４内にクレー１４が捕らえられるようにスイングしながら射撃すると、この時に、ある距離付近では、散弾が蜂の群れのように紡錘状に飛び出して、所謂ショットコロンを作り出すので、これにより、命中範囲も拡大されて、命中率が更に向上することとなる。
【産業上の利用可能性】
【００２４】
本発明に係る照準器は、今までの照準器と比較すると、構造が簡素される上に、命中率が頗る向上するので、クレー射撃競技のトラップ種目やスキート種目に使用されるクレー射撃用散弾銃、或いは、狩猟に使用される猟銃用散弾銃などに応用すれば、極めて好都合なものとなる。
【図面の簡単な説明】
【００２５】
【図１】本発明の実施例に係る照準器を分解して示す斜視図である。
【図２】図１のＡ−Ａ線断面図である。
【図３】銃筒の先端部に照準器を装着した状態を示す要部斜視図である。
【図４】照準器の覗き孔内にクレーを捕らえた状態を示す断面図である。
【符号の説明】
【００２６】
１    照準器の本体
２    上側部分
３    下側部分
４    覗き孔
５    達磨孔
６    ネジ孔
７    ネジ
８    連結域
１１  銃筒
１２  上面リブ
１３  照星
１４  クレー（標的）
【図１】
2009063235.tif 000003
【図２】
2009063235.tif 000004
【図３】
2009063235.tif 000005
【図４】
2009063235.tif 000006